(57)【特許請求の範囲】
【請求項１】
２辺の長さが等しい山形に形成され、建築物外壁の出隅部を形成する出隅用パネルの内側面に固定されたときに、両端部が当該出隅用パネルの側縁から突出して、前記建築物の外壁の目地奥に露出する突出部を形成する取付金具本体と、
前記突出部に水平方向に長い扁平に形成された長穴に挿入されて、前記建築物の躯体に連結される支持ボルトと、
前記突出部の前記長穴を挟んで上下に形成される調整用ネジ孔に締結及び弛緩自在に螺合する不陸調整ネジと、を備え、
前記不陸調整ネジの先端を前記建築物の躯体に当接させつつ、当該不陸調整ネジを前記調整用ネジ孔に対して締結又は弛緩することを特徴とする出隅用パネル取付金具。
【請求項２】
建築物の屋内側に突出し当該建築物の躯体に固定される係止部と、前記建築物の屋外側に向かって開口する固定用ネジ孔を有する平板状の受け部と、を備える取付金具受け部材と、
２辺の長さが等しい山形に形成され、前記建築物外壁の出隅を形成する出隅用パネルの内側面に固定されたときに、両端部が当該出隅用パネルの側縁から突出して前記建築物の外壁の目地奥に露出する突出部を形成する取付金具本体と、
前記突出部に水平方向に長い扁平に形成された長穴に挿入されるとともに、前記固定用ネジ孔に螺着する支持ボルトと、
前記突出部に形成される調整用ネジ孔に締結及び弛緩自在に螺合するとともに、その先端が前記受け部に当接する不陸調整ネジと、を備えることを特徴とする出隅用パネル取付構造。
【請求項３】
前記係止部は、フック状に形成され、前記建築物の躯体を構成する垂直柱を互いに連結する横綴りボルトに引掛けて係止することを特徴とする請求項２に記載の出隅用パネル取付構造。
【請求項４】
前記調整用ネジ孔は、前記取付金具本体の両端に形成された前記突出部にそれぞれ垂直方向に並べて複数形成されることを特徴とする請求項２又は請求項３に記載の出隅用パネル取付構造。
【発明の詳細な説明】
【技術分野】
【０００１】
本発明は、出隅用パネル取付金具及び出隅用パネル取付構造に関し、特に、建築物の出隅を形成する出隅用パネルを建築物躯体に取付ける出隅用パネル取付金具及び出隅用パネル取付構造に関する。
【背景技術】
【０００２】
複数の外壁パネルを並べて建築物の外壁を形成する際には、意匠性を高めつつ目地が設計どおりの防水防火性を発揮できるように、外壁パネル同士の屋外面を面一になるように不陸を調整する。外壁の出隅部を形成する出隅用パネルについてもその両側の外壁パネルとの間で不陸の調整が行われる。このような出隅用パネルの不陸調整をする際に、一旦出隅用パネル又はその両側に固定されている外壁パネルを取り外してパネル裏面にスペーサを入れる等の作業を行っていては作業効率が悪く、簡単に不陸を調整することができない。
【０００３】
そこで、出隅用パネルの不陸を調整する出隅用パネルの取付構造が、例えば特許文献１に開示されている。特許文献１の出隅用パネル取付構造１００は、例えば図１３に示すように、出隅部を残してその両側に配置した外壁パネル１０１ａ，ｂのうち、一方の外壁パネル１０１ａの端部に形成されたフレーム金具１０２に、受け部材１０３の一端側を第１横ボルト１０４によって取り付け、他方の外壁パネル１０１ｂの端部に形成されたフレーム金具１０５に、受け部材１０３の他端側を第１横ボルト１０４に対して直交する方向の第２横ボルト１０６によって取り付ける。この受け部材１０３に対して出隅用パネル１０７を係合させる。そして、パネル間の隙間から差し入れた工具によって、横ボルト１０４、１０６を回転操作してその取付位置を移動させることで、出隅用パネル１０７の出入りを調整する。このように構成することで、屋外側から出隅用パネル１０７の不陸を容易に調整することができる。
【先行技術文献】
【特許文献】
【０００４】
【特許文献１】特開２００５−２１３８３０号公報
【発明の概要】
【発明が解決しようとする課題】
【０００５】
しかし、上述の出隅用パネル取付構造１００は、固定用に用いられる横ボルト１０４、１０６を緩めることで不陸調整しており、緩めすぎると出隅用パネル１０７の取付強度が不十分となる虞がある。また、出隅用パネル１０７の受け部材１０３は、建築物の構造躯体ではなく近接する外壁パネル１０１ａ、１０１ｂに固定するものであり、しかも、出隅用パネル１０７自体は、受け部材１０３の弾性片１０８に嵌着して固定されているだけであるので、出隅用パネル１０７の取付強度が不十分となる虞がある。
【０００６】
そこで本発明は、屋外側から極めて容易に出隅調整することができる出隅用パネル取付金具及び出隅用パネル取付構造であって、出隅用パネルを適切な強度で取付けることができる出隅用パネル取付金具及び出隅用パネル取付構造を提供することを目的とする。
【課題を解決するための手段】
【０００７】
請求項１に記載の出隅用パネル取付金具は、２辺の長さが等しい山形に形成され、建築物外壁の出隅部を形成する出隅用パネルの内側面に固定されたときに、両端部が当該出隅用パネルの側縁から突出して、前記建築物の外壁の目地奥に露出する突出部を形成する取付金具本体と、前記突出部に水平方向に長い扁平に形成された長穴に挿入されて、建築物の躯体に連結される支持ボルトと、前記突出部の前記長穴を挟んで上下に形成される調整用ネジ孔に締結及び弛緩自在に螺合する不陸調整ネジと、を備え、前記不陸調整ネジの先端を建築物躯体に当接させつつ、当該不陸調整ネジを前記調整用ネジ孔に対して締結又は弛緩することを特徴としている。
【０００８】
請求項２に記載の出隅用パネル取付構造は、建築物の屋内側に突出し当該建築物の躯体に固定される係止部と、建築物の屋外側に向かって開口する固定用ネジ孔を有する平板状の受け部と、を備える取付金具受け部材と、２辺の長さが等しい山形に形成され、建築物外壁の出隅を形成する出隅用パネルの内側面に固定されたときに、両端部が当該出隅用パネルの側縁から突出して前記建築物の外壁の目地奥に露出する突出部を形成する取付金具本体と、前記突出部に水平方向に長い扁平に形成された長穴に挿入されるとともに、前記固定用ネジ孔に螺着する支持ボルトと、前記突出部に形成される調整用ネジ孔に締結及び弛緩自在に螺合するとともに、その先端が前記受け部に当接する不陸調整ネジと、を備えることを特徴としている。
【０００９】
請求項３に記載の出隅用パネル取付構造は、前記係止部は、フック状に形成され、建築物の躯体を構成する軸組フレーム同士を互いに連結する横綴りボルトに引掛けて係止することを特徴としている。
【００１０】
請求項４に記載の出隅用パネル取付構造は、前記調整用ネジ孔は、前記取付金具本体の両端に形成された前記突出部にそれぞれ垂直方向に並べて複数形成されることを特徴としている。
【発明の効果】
【００１１】
請求項１に記載の出隅用パネル取付金具によると、取付金具本体に出隅用パネルに固定されてその両端が出隅用パネルの側縁から突出して外壁の目地奥に露出する突出部を形成し、この突出部に形成された長穴に挿入されて建築物の躯体に連結される支持ボルトと、前記突出部の前記長穴を挟んで上下に形成される調整用ネジ孔に締結及び弛緩自在に螺合する不陸調整ネジと、を備えており、不陸調整ネジの先端が建築物躯体に当接するように配置するので、不陸調整ネジを調整用ネジ孔に対して締結方向に回転させると、不陸調整ネジの先端が調整用ネジ孔から突出し、この不陸調整ネジの先端が建築物躯体を押圧することになり、その結果突出部が建築物躯体から離反し、一方、不陸調整ネジを調整用ネジ孔に対して弛緩方向に回転させると、不陸調整ネジの先端が調整用ネジ孔から縮退し、この不陸調整ネジの先端が建築物躯体から離反し、支持ボルトを締結方向に回転させることにより、突出部が建築物躯体に接近する。これにより、取付金具本体に固定されている出隅用パネルの不陸を調整することができる。突出部は目地奥に露出しており、この突出部に形成された調整用ネジ孔に螺合する不陸調整ネジを締結または弛緩させつつ、支持ボルトを締結させることにより、出隅用パネルの不陸を調整できるので、屋外側から極めて簡単に不陸調整することができ、出隅用パネルを適切な強度で取付けることができる。
【００１２】
請求項２に記載の出隅用パネル取付構造によると、目地奥に露出した不陸調整ネジを締結または弛緩させることにより、取付金具受け部材と取付金具本体との間隔を接近または離反させることができるので、取付金具受け部材が固定されている建築物躯体と、取付金具本体が固定されている出隅用パネルとの間隔を調整することができ、不陸を調整することができる。
【００１３】
請求項３に記載の出隅用パネル取付構造によると、軸組フレーム同士を互いに連結するための横綴りボルトに係止部に引っ掛けるだけで、取付金具受け部材を建築物躯体に固定することができるので、極めて簡単に施工することができる。
【００１４】
請求項４に記載の出隅用パネル取付構造によると、調整用ネジ孔は、垂直方向に並べて複数形成されるので、出隅用パネルの面が傾斜することなく確実に垂直になるように調整できる。
【図面の簡単な説明】
【００１５】
【図１】取付金具本体の構成を示す斜視図。
【図２】取付金具受け部材の構成を示す斜視図。
【図３】出隅用パネルに取付金具本体を固定した状態を示す断面図。
【図４】横綴りボルトに係止部を引っ掛けて取付金具受け部材を固定する状態を示す断面図。
【図５】出隅用パネルを出隅部に配置する状態を示す断面図。
【図６】支持ボルトにより取付金具本体を取付金具受け部材に取付けた状態を示す断面図。
【図７】支持ボルトを固定用ネジ孔に螺着させ不陸調整ネジを調整用ネジ孔に螺着させる状態を示す斜視図。
【図８】支持ボルトを固定用ネジ孔に螺着させ不陸調整ネジを調整用ネジ孔に螺着させる状態を示す断面図。
【図９】出隅用パネルを屋外側に移行させて不陸を調整する状態を説明する断面図。
【図１０】出隅用パネルを屋内側に移行させて不陸を調整する状態を説明する断面図。
【図１１】ピロティ柱に用いられる出隅用パネル取付金具本体の一例を示す斜視図。
【図１２】出隅用パネル取付構造を用いてピロティ柱の外周面を形成する状態を示す断面図。
【図１３】従来の出隅用パネル取付構造の一例を示す断面図。
【発明を実施するための形態】
【００１６】
以下、本発明の出隅用パネル取付金具１及び出隅用パネル取付構造２の最良の実施形態について、各図を参照しつつ説明する。出隅用パネル取付金具１及び出隅用パネル取付構造２は、例えば住宅等の建築物の外壁パネルのうち出隅部を形成する出隅用パネル３を建築物の躯体に固定するものであり、出隅用パネル３の不陸を調整できるものである。出隅用パネル３は、等辺山形の断面L字状に形成された例えば軽量コンクリート外壁材である。なお、出隅用パネル３の材質は、これに限定されるものではなく、セメント系サイディングボード、金属系サイディング、樹脂系サイディング、その他の種々の材料を用いることができる。
【００１７】
出隅用パネル取付構造２は、図７及び図８に示すように、取付金具本体４と、この取付金具本体４の両端部である突出部４０に形成された長穴４１に挿入される支持ボルト５と、調整用ネジ孔４２に締結及び弛緩自在に螺合する不陸調整ネジ６と、から成る出隅用パネル取付金具１と、建築物躯体に支持されてこの出隅用パネル取付金具１を受ける取付金具受け部材７と、により構成されている。
【００１８】
取付金具本体４は、図１に示すように、２片の同形状の右側金具片４ａと左側金具片４ｂとを連結部４ｃにより一体形成しており、この連結部４ｃを頂点とする略等辺山形状に形成された鋼材である。右側金具片４ａ及び左側金具片４ｂの連結部４ｃに近接する部分にはそれぞれ出隅用パネル３に固定するためのパネル固定孔４３が形成されている。出隅用パネル３の内側面３ａには、取付金具本体４を当該出隅用パネル３の内側面３ａに当接させたときに、パネル固定孔４３に整合する位置に図示しない固定用インサートナットが形成されており、図３に示すように、パネル固定孔４３にパネル固定ボルト８を挿入し、固定用インサートナットに螺着させることにより、出隅用パネル３と取付金具本体４とは固定される。なお、パネル固定孔４３は取付金具本体４の右側金具片４ａと左側金具片４ｂとにそれぞれ形成されているが、いずれか一方のパネル固定孔４３にパネル固定ボルト８を挿入して固定用インサートナットに螺着させることで、出隅用パネル３と取付金具本体４とは固定されるので、他の部材との取り合いを考慮して、いずれか一方又は双方のパネル固定孔４３に固定ボルトを挿入して固定する。
【００１９】
取付金具本体４を出隅用パネル３の内側面３ａに固定したときに、取付金具本体４の両端部は、図３に示すように、出隅用パネル３の内側面３ａから突出する突出部４０を形成する。この突出部４０には鉛直方向の中央に水平方向に長い扁平に形成された長穴４１が貫通して形成されており、この長穴４１を挟んで上下には、内周面に雌ネジが形成された調整用ネジ孔４２が貫通してそれぞれ形成されている。そして、この長穴４１に挿入される支持ボルト５は、ボルト頭５ａにプラス又はマイナス等の溝、若しくは六角形などの穴が形成されており、これら溝又は穴に対応する図示しないドライバー又はレンチを挿入して回転させることで支持ボルト５を締結又は弛緩方向に回転させることができる。また、調整用ネジ孔４２に螺着する不陸調整ネジ６は、先端６ｂが調整用ネジ孔４２から突出可能な長さであって、ネジ頭６ａには、プラス又はマイナス等の溝、若しくは六角形などの穴が形成されており、支持ボルト５と同様に、ドライバー又はレンチを挿入して回転させることにより締結又は弛緩方向に回転させることができる。なお、支持ボルト５のボルト頭５ａ及び不陸調整ネジ６のネジ頭６ａに形成されるドライバ挿入用の溝又は穴は、１種類のドライバー又はレンチで作業ができることから同一の形状であることが好ましい。
【００２０】
取付金具受け部材７は、図２に示すように、建築物の躯体に固定される係止部７ａと、この係止部７ａと一体形成される受け部７ｂと、を備える鋼材である。係止部７ａは、屋外側に突出する四角形の平板状であって、その中間部に下側が開放する切欠７１が形成されてフック状に形成されている。また、受け部７ｂは、一方の面を屋外方向に向けて配置される平板状に形成されており、支持ボルト５が螺着可能な固定用ネジ孔７２が設けられている。この取付金具受け部材７は、図４に示すように、建築物の軸組フレームの出隅側の垂直柱９とコーナ添柱１０とを連結する横綴りボルト１１に係止部７ａを引っ掛けて係止する。コーナ添柱１０は出隅側が開放した断面矩形の鋼材であって、開放側と反対の２辺がそれぞれ横綴りボルト１１により軸組の垂直柱９と連結されている。取付金具受け部材７は、この開放側と反対の２辺のそれぞれの横綴りボルト１１にそれぞれ引っ掛けて係止されている。したがって、極めて簡単な工程で取付金具受け部材７を建築物の躯体に固定することができる。
【００２１】
以上のように構成される出隅用パネル取付構造２の各構成を用いて出隅用パネル３を施工する際には、まず、図３に示すようにパネル固定ボルト８を用いて出隅用パネル３に取付金具本体４を固定し、図４に示すように２つの取付金具受け部材７をそれぞれの横綴りボルト１１に引っ掛けて取付金具受け部材７を建築物躯体に固定する。そして、図５に示すように、取付金具本体４が固定された出隅用パネル３を取付金具受け部材７が取付けられたコーナ添柱１０に近接させる。そして、図６から図８に示すように支持ボルト５を取付金具本体４の長穴４１に挿入するとともに、取付金具受け部材７の固定用ネジ孔７２に螺着させて固定する。そして、調整用ネジ孔４２に不陸調整ネジ６の先端６ｂが取付金具受け部材７の受け部７ｂに当接するように不陸調整ネジ６を螺着させる。図６によく表れるように、支持ボルト５のボルト頭５ａ及び不陸調整ネジ６のネジ頭６ａは、出隅用パネル３とこの出隅用パネル３に隣接する外壁パネル１４との間に形成された縦目地の奥に配置されることになるので、この縦目地を介して、屋外側に露出する。
【００２２】
出隅用パネル３が屋内側に入り込んでいる不陸を調整するときには、出隅用パネル３と出隅用パネル３に隣接する外壁パネル１４の間の縦目地から図示しないドライバー又はレンチを挿入して、図９（Ａ）に示すように、支持ボルト５を弛緩方向に回転させる。そして、図９（Ｂ）に示すように、図示しないドライバー又はレンチで不陸調整ネジ６を締結方向に回転させる。締結方向に回転した不陸調整ネジ６は、その先端６ｂが調整用ネジ孔４２から突出して、取付金具受け部材７の受け部７ｂを押圧し、取付金具本体４を屋外方向に移行させることにより出隅用パネル３を屋外方向に移行させる。一方、出隅用パネル３が屋外側に張り出している不陸を調整するときには、図１０（Ａ）に示すように、ドライバー又はレンチを用いて不陸調整ネジ６を弛緩方向に回転させる。そして図１０（Ｂ）に示すように、支持ボルト５を締結方向に回転させる。支持ボルト５は、取付金具受け部材７に螺着されているので、支持ボルト５を締結方向に回転させると、パネル取付金具の突出部４０と、取付金具受け部材７の受け部７ｂとが接近する方向に力が加わり、出隅パネル取付金具１及び出隅パネル取付金具１に固定された出隅用パネル３を屋内方向に移行させる。なお、図９及び図１０に示すように、等辺山形に形成された出隅用パネル３の左辺側の不陸を調整すると、右辺側は屋外側の面と平行な水平方向に移行することになるが、取付金具本体４と取付金具受け部材７とを連結する支持ボルト５は取付金具本体４の水平方向に長い長穴４１に挿入されて固定しているので、取付金具本体４はこの長穴４１の長さの範囲でスライドすることができるので、右辺側は支持ボルト５を螺着した状態で左辺側の不陸を調整することができる。
【００２３】
なお、本発明の出隅用パネル取付金具１及び出隅用パネル取付構造２は、上述の実施形態に限定されるものではなく、他の実施形態として例えばピロティ柱１２の出隅部にも用いることができる。この実施形態の出隅用パネル取付金具１は、例えば図１１に示すように、一方の突出部４０が上側に他方の突出部４０が下側に形成されており、それぞれの突出部４０に長穴４１及び調整用ネジ孔４２が形成されている。そして、図１２に示すように、出隅用パネル取付金具１を４枚の出隅用パネル３にそれぞれ固定し、中央に立設された柱材１３にそれぞれの出隅用パネル３を配置する。そして、隣接する出隅用パネル３の間に形成された縦目地の間に図示しないドライバー又はレンチを挿入して、支持ボルト５をそれぞれの出隅用パネル取付金具１の突出部４０に形成された長穴４１に挿入し、柱材に出隅取付用パネルを固定する。そして、調整用ネジ孔４２に不陸調整ネジ６を螺着させてそれぞれの出隅用パネル３の不陸を調整する。
【００２４】
なお、本発明の実施の形態は上述の形態に限ることなく、本発明の思想の範囲を逸脱しない範囲で適宜変更することができることは云うまでもない。
【産業上の利用可能性】
【００２５】
本発明に係る出隅用パネル取付金具１及び出隅用パネル取付構造２は、主に住宅等の建築物の外壁の出隅部に出隅用パネル３を取付ける冶具及び構造として、好適に用いることができる。
【符号の説明】
【００２６】
１      出隅用パネル取付金具
２      出隅用パネル取付構造
３      出隅用パネル
４      取付金具本体
５      支持ボルト
６      不陸調整ネジ
７      取付金具受け部材
７ａ    係止部
７ｂ    受け部
１１    横綴りボルト
４０    突出部
４１    長穴
４２    調整用ネジ孔
【図１】
0005440475.tif 000002
【図２】
0005440475.tif 000003
【図３】
0005440475.tif 000004
【図４】
0005440475.tif 000005
【図５】
0005440475.tif 000006
【図６】
0005440475.tif 000007
【図７】
0005440475.tif 000008
【図８】
0005440475.tif 000009
【図９】
0005440475.tif 000010
【図１０】
0005440475.tif 000011
【図１１】
0005440475.tif 000012
【図１２】
0005440475.tif 000013
【図１３】
0005440475.tif 000014